(57)【要約】  Ｄ２Ｄ通信を行う際の通信端末の消費電力の増大を抑えることができる通信システム。この通信システム（１）は、基地局（ＢＳ１）と、第一の通信端末（ＵＥ１）と、第二の通信端末（ＵＥ２）とを有する。第一の通信端末（ＵＥ１）は、基地局（ＢＳ１）とセルラ通信が可能な一方で、基地局（ＢＳ１）を介さずに第二の通信端末（ＵＥ２）とＤ２Ｄ通信が可能である。基地局（ＢＳ１）は、ＲＡ（Resource  Allocation）フィールドと、ＮＤＩ（New  Data  Indicator）フィールドと、ＭＣＳ（Modulation  and  Coding  Scheme）フィールドとを含むＤＣＩ（Downlink  Control  Information）を用いて、ＲＡ結果を第一の通信端末（ＵＥ１）へ通知する。基地局（ＢＳ１）は、セルラ通信用ＲＡ結果をＲＡフィールドを用いて第一の通信端末（ＵＥ１）へ通知するときは、ＮＤＩ値とＭＣＳ値との組合せを第一の特定の組合せとする。また、基地局（ＢＳ１）は、Ｄ２Ｄ通信用ＲＡ結果をＲＡフィールドを用いて第一の通信端末（ＵＥ１）へ通知するときは、ＮＤＩ値とＭＣＳ値との組合せを、第一の特定の組合せと異なる第二の特定の組合せとする。
2015198490.tif 000002
【特許請求の範囲】
【請求項１】
基地局と、
第一通信端末と、
前記基地局と通信可能な一方で、前記基地局を介さずに前記第一通信端末と直接通信可能な第二通信端末と、を具備する通信システムであって、
前記基地局は、
第一領域と、第二領域と、第三領域とを含む制御情報を用いて、無線リソースの割当結果を前記第二通信端末へ通知する基地局であって、
前記基地局と前記第二通信端末との間の通信に割り当てた第一無線リソースの第一割当結果を前記第一領域を用いて前記第二通信端末へ通知するときは、前記第二領域の値と前記第三領域の値との組合せを第一の特定の組合せとし、
前記第二通信端末と前記第一通信端末との間の直接通信に割り当てた第二無線リソースの第二割当結果を前記第一領域を用いて前記第二通信端末へ通知するときは、前記第二領域の値と前記第三領域の値との組合せを、前記第一の特定の組合せと異なる第二の特定の組合せとし、
前記第二通信端末は、
前記制御情報を検出し、
検出した前記制御情報において前記第二領域の値と前記第三領域の値との組合せが前記第一の特定の組合せであると判断したときは、前記第一領域に示された前記第一割当結果に従って前記基地局と通信し、
検出した前記制御情報において前記第二領域の値と前記第三領域の値との組合せが前記第二の特定の組合せであると判断したときは、前記第一領域に示された前記第二割当結果に従って前記第一通信端末と直接通信する、
通信システム。
【請求項２】
前記第一の特定の組合せは、前記第二領域において新規データを示す値と、前記第三領域において特定の第一範囲にある値との組合せ、または、前記第二領域において再送データを示す値と、前記第三領域において前記特定の第一範囲と異なる第二範囲にある値との組合せであり、
前記第二の特定の組合せは、前記第二領域において再送データを示す値と、前記第三領域において前記特定の第一範囲にある値との組合せ、または、前記第二領域において新規データを示す値と、前記第三領域において前記第二範囲にある値との組合せである、
請求項１に記載の通信システム。
【請求項３】
第一領域と、第二領域と、第三領域とを含む制御情報を用いて、無線リソースの割当結果を、自局と通信可能な一方で、第一通信端末と直接通信可能な第二通信端末へ通知する基地局であって、
自局と前記第二通信端末との間の通信に割り当てた第一無線リソースの第一割当結果を前記第一領域を用いて前記第二通信端末へ通知するときに、前記第二領域の値と前記第三領域の値との組合せを第一の特定の組合せとした前記制御情報を形成する第一形成部と、
前記第二通信端末と前記第一通信端末との間の直接通信に割り当てた第二無線リソースの第二割当結果を前記第一領域を用いて前記第二通信端末へ通知するときに、前記第二領域の値と前記第三領域の値との組合せを、前記第一の特定の組合せと異なる第二の特定の組合せとした前記制御情報を形成する第二形成部と、
を具備する基地局。
【請求項４】
第一領域と、第二領域と、第三領域とを含む制御情報を用いて無線リソースの割当結果を通知する基地局と通信可能である一方で、前記基地局を介さずに他の通信端末と直接通信可能な通信端末であって、
前記制御情報を検出する検出部と、
検出された前記制御情報において前記第二領域の値と前記第三領域の値との組合せを判断する判断部と、
前記組合せが第一の特定の組合せであるときに、前記第一領域に示された割当結果に従って前記基地局と通信する第一通信部と、
前記組合せが前記第一の特定の組合せと異なる第二の特定の組合せであるときに、前記第一領域に示された前記割当結果に従って前記他の通信端末と直接通信する第二通信部と、
を具備する通信端末。
【請求項５】
第一領域と、第二領域と、第三領域とを含む制御情報を用いて、無線リソースの割当結果を、他の通信端末と直接通信可能な通信端末へ通知する基地局における制御情報形成方法であって、
前記基地局と前記通信端末との間の通信に割り当てた第一無線リソースの第一割当結果を前記第一領域を用いて前記通信端末へ通知するときは、前記第二領域の値と前記第三領域の値との組合せを第一の特定の組合せとした前記制御情報を形成する一方で、
前記通信端末と他の通信端末との間の直接通信に割り当てた第二無線リソースの第二割当結果を前記第一領域を用いて前記通信端末へ通知するときは、前記第二領域の値と前記第三領域の値との組合せを、前記第一の特定の組合せと異なる第二の特定の組合せとした前記制御情報を形成する、
制御情報形成方法。
【請求項６】
第一領域と、第二領域と、第三領域とを含む制御情報を用いて無線リソースの割当結果を通知する基地局と通信可能である一方で、前記基地局を介さずに他の通信端末と直接通信可能な通信端末における制御情報判断方法であって、
前記制御情報において前記第二領域の値と前記第三領域の値との組合せが第一の特定の組合せであるときは、前記第一領域に示された割当結果が、前記基地局と前記通信端末との間の通信に割り当てられた第一無線リソースの第一割当結果であると判断する一方で、
前記制御情報において前記第二領域の値と前記第三領域の値との組合せが前記第一の特定の組合せと異なる第二の特定の組合せであるときは、前記第一領域に示された前記割当結果が、前記通信端末と前記他の通信端末との間の直接通信に割り当てられた第二無線リソースの第二割当結果であると判断する、
制御情報判断方法。
【請求項７】
基地局と、
第一通信端末と、
前記基地局と通信可能な一方で、前記基地局を介さずに前記第一通信端末と直接通信可能な第二通信端末と、を具備する通信システムであって、
前記基地局は、
前記第二通信端末と前記第一通信端末との間の直接通信に割り当てた第一無線リソースの第一割当結果を前記第二通信端末へ通知する第一の制御情報と、前記基地局と前記第二通信端末との間の通信に割り当てた第二無線リソースの第二割当結果を前記第二通信端末へ通知する第二の制御情報が前記第一の制御情報の配置期間に存在するか否かを示す所定の情報とを一体として前記第二通信端末へ送信し、
前記第二通信端末は、
前記第一の制御情報を検出し、
前記第一の制御情報と一体となっている前記所定の情報に基づいて、前記第二の制御情報に対する検出を前記配置期間において行うか否かを判断する、
通信システム。
【請求項８】
前記基地局は、前記第一の制御情報の前記配置期間に前記第二の制御情報をマッピングする場合、前記配置期間に含まれる複数のサーチスペースのうち、前記第一の制御情報をマッピングした第一のサーチスペースのアグリゲーションレベルと同一のアグリゲーションレベルを有する第二のサーチスペースに前記第二の制御情報をマッピングする、
請求項７に記載の通信システム。
【請求項９】
無線リソースの割当結果を、自局と通信可能な一方で、第一通信端末と直接通信可能な第二通信端末へ通知する基地局であって、
前記第二通信端末と前記第一通信端末との間の直接通信に割り当てた第一無線リソースの第一割当結果を前記第二通信端末へ通知する第一の制御情報と、自局と前記第二通信端末との間の通信に割り当てた第二無線リソースの第二割当結果を前記第二通信端末へ通知する第二の制御情報が前記第一の制御情報の配置期間に存在するか否かを示す所定の情報とを形成する形成部と、
前記第一の制御情報と前記所定の情報とを一体として前記第二通信端末へ送信する送信部と、
を具備する基地局。
【請求項１０】
無線リソースの割当結果を通知する基地局と通信可能である一方で、前記基地局を介さずに他の通信端末と直接通信可能な通信端末であって、
前記他の通信端末と自端末との間の直接通信に割り当てられた第一無線リソースの第一割当結果を自端末へ通知する第一の制御情報を検出する第一検出部と、
前記第一の制御情報と一体となっている所定の情報であって、前記基地局と自端末との間の通信に割り当てられた第二無線リソースの第二割当結果を自端末へ通知する第二の制御情報が前記第一の制御情報の配置期間に存在するか否かを示す前記所定の情報に基づいて、前記第二の制御情報に対する検出を前記配置期間において行うか否かを判断する第二検出部と、
を具備する通信端末。
【請求項１１】
無線リソースの割当結果を、自局と通信可能な一方で、第一通信端末と直接通信可能な第二通信端末へ通知する基地局における制御情報通知方法であって、
前記第二通信端末と前記第一通信端末との間の直接通信に割り当てた第一無線リソースの第一割当結果を前記第二通信端末へ通知する第一の制御情報と、前記基地局と前記第二通信端末との間の通信に割り当てた第二無線リソースの第二割当結果を前記第二通信端末へ通知する第二の制御情報が前記第一の制御情報の配置期間に存在するか否かを示す所定の情報とを形成し、
前記第一の制御情報と前記所定の情報とを一体として前記第二通信端末へ送信する、
制御情報通知方法。
【請求項１２】
無線リソースの割当結果を通知する基地局と通信可能である一方で、前記基地局を介さずに他の通信端末と直接通信可能な通信端末における制御情報検出方法であって、
前記他の通信端末と自端末との間の直接通信に割り当てられた第一無線リソースの第一割当結果を自端末へ通知する第一の制御情報を検出し、
前記第一の制御情報と一体となっている所定の情報であって、前記基地局と自端末との間の通信に割り当てられた第二無線リソースの第二割当結果を自端末へ通知する第二の制御情報が前記第一の制御情報の配置期間に存在するか否かを示す前記所定の情報に基づいて、前記第二の制御情報に対する検出を前記配置期間において行うか否かを判断する、
制御情報検出方法。
【発明の詳細な説明】
【技術分野】
【０００１】
本発明は、通信システム、基地局及び通信端末に関する。
【背景技術】
【０００２】
近年、携帯電話システムの一つであるセルラシステム等の無線通信システムにおいて、無線通信の更なる高速化・大容量化等を図るため、次世代の無線通信技術についての検討が行われている。例えば、標準化団体である３ＧＰＰ（3rd  Generation  Partnership  Project）では、「ＬＴＥ（Long  Term  Evolution）」と呼ばれる通信規格の策定に続けて、ＬＴＥの無線通信技術をベースとして、更なる性能向上を図るために、「ＬＴＥ−Ａ（LTE-Advanced）」と呼ばれる通信規格についての検討が行われている。【０００３】
今後ＬＴＥ−Ａに導入される可能性があり、かつ、現在、基本的な技術検討が３ＧＰＰにおいて行われている通信技術の一つに、「Ｄ２Ｄ（Device  to  Device）通信」と呼ばれる通信端末間直接通信がある。従来のセルラ通信では、互いに近接する通信端末同士であっても基地局を介して通信を行うのに対し、Ｄ２Ｄ通信では、互いに近接する通信端末同士が基地局を介さずに直接通信を行う。Ｄ２Ｄ通信が可能になることで、例えば、災害時等において基地局の機能が停止して基地局を介した通信が行えなくなった場合でも、通信端末同士で通信を行うことが可能となる。【０００４】
Ｄ２Ｄ通信についての検討において、セルラ通信の上りリンクの無線リソースをセルラ通信と共用してＤ２Ｄ通信を行うことが検討されている。つまり、Ｄ２Ｄ通信を、セルラ通信の現状の上りリンクの無線周波数帯を利用して行うことが検討されている。また、セルラ通信及びＤ２Ｄ通信の双方を行うことが可能な通信端末の導入も検討されている。よって、セルラ通信の上りリンクの無線周波数帯を利用してＤ２Ｄ通信を行う場合、基地局は、同一の無線周波数帯において、１つの通信端末に対し、セルラ通信用の上りリンクの無線リソースの割当と、Ｄ２Ｄ通信用の無線リソースの割当との双方を行うことになる。【０００５】
ここで、現状のＬＴＥにおいて基地局から通信端末へ送信されるレイヤ１制御情報は「ＤＣＩ（Downlink  Control  Information）」と呼ばれ、ＤＣＩは、その使用目的、つまり、制御情報の内容に応じて、フォーマット０，１，１Ａ，１Ｂ，１Ｃ，１Ｄ，２，２Ａ，２Ｂ，２Ｃ，２Ｄ，３，３Ａ，４のうちの何れかのフォーマットを採る。例えば、通信端末が基地局へ信号を送信するために使用する無線リソースの割当結果を基地局から通信端末へ通知するためのＤＣＩのフォーマットは、フォーマット０または４を採る。【０００６】
また、ＤＣＩは、無線物理チャネルの一つである「ＰＤＣＣＨ（Physical  Downlink  Control  Channel）」を用いて基地局から通信端末へ送信される。各ＰＤＣＣＨは、１つ又は連続する複数のＣＣＥ（Control  Channel  Element）で構成される無線リソース領域にマッピングされる。また、各ＰＤＣＣＨは、そのサイズに応じて、フォーマット０〜３の何れかを採る。フォーマット０のＰＤＣＣＨは「１ＣＣＥ」に相当する「Ｎ」のサイズを採り、フォーマット１のＰＤＣＣＨは「２ＣＣＥ」に相当する「２Ｎ」のサイズを採る。また、フォーマット２のＰＤＣＣＨは「４ＣＣＥ」に相当する「４Ｎ」のサイズを採り、フォーマット３のＰＤＣＣＨは「８ＣＣＥ」に相当する「８Ｎ」のサイズを採る。つまり、ＰＤＣＣＨのサイズＮ，２Ｎ，４Ｎ，８Ｎは、ＣＣＥの連結数１，２，４，８にそれぞれ相当し、ＣＣＥの連結数は「アグリゲーションレベル（Aggregation  Level）」と呼ばれる。【０００７】
ＤＣＩは、下りリンクの伝搬路品質に応じた符号化率で符号化され、下りリンクの伝搬路品質が低下するほど、より低い符号化率でＤＣＩが符号化される。よって、符号化後のＤＣＩのサイズは、下りリンクの伝搬路品質が低下するほど、より大きくなる。一方で、符号化後のＤＣＩをＰＤＣＣＨを用いて送信する際には、符号化後のＤＣＩのサイズが、ＰＤＣＣＨのＮ〜８Ｎの４つのサイズのうちの何れかに一致するようにレートマッチングによって調節される。つまり、下りリンクの伝搬路品質が低下するほど、より大きいサイズのＰＤＣＣＨがＤＣＩの送信に用いられ、符号化後のＤＣＩのサイズに応じて、アグリゲーションレベルは、１，２，４，８の中から選択される。なお、ＣＣＥの変調方式は、下りリンクの伝搬路品質にかかわらず、ＱＰＳＫ（Quadrature  Phase  Shift  Keying）で一定である。【０００８】
また、各通信端末に対するＰＤＣＣＨがマッピングされる無線リソース領域は「サーチスペース（Search  Space）」と呼ばれ、サーチスペースは、図１に示すように、アグリゲーションレベルごとに決められている。図１は、従来のサーチスペースの説明に供する図である。図１において、「ＳＳ」はサーチスペースを示し、「ＡＬ」はアグリゲーションレベルを示す。現状のＬＴＥでは、セルラ通信用として、図１に示すように、アグリゲーションレベルに応じて、ＳＳ０〜ＳＳ５の６つのサーチスペースが規定されている。サーチスペースＳＳ０〜ＳＳ５のうち、ＳＳ０〜ＳＳ３の４つのサーチスペースは、各通信端末毎に固有のサーチスペースであり、ＳＳ４〜ＳＳ５の２つのサーチスペースは、全通信端末に共通のサーチスペースである。【０００９】
図１において、ＡＬ＝１のＳＳ０は、フォーマット０のＰＤＣＣＨをマッピング可能な６つのサーチ単位から構成され、各サーチ単位は、１ＣＣＥに相当する。ＡＬ＝２のＳＳ１は、フォーマット１のＰＤＣＣＨをマッピング可能な６つのサーチ単位から構成され、各サーチ単位は、２ＣＣＥに相当する。ＡＬ＝４のＳＳ２は、フォーマット２のＰＤＣＣＨをマッピング可能な２つのサーチ単位から構成され、各サーチ単位は、４ＣＣＥに相当する。ＡＬ＝８のＳＳ３は、フォーマット３のＰＤＣＣＨをマッピング可能な２つのサーチ単位から構成され、各サーチ単位は、８ＣＣＥに相当する。ＡＬ＝４のＳＳ４は、フォーマット２のＰＤＣＣＨをマッピング可能な４つのサーチ単位から構成され、各サーチ単位は、４ＣＣＥに相当する。ＡＬ＝８のＳＳ５は、フォーマット３のＰＤＣＣＨをマッピング可能な２つのサーチ単位から構成され、各サーチ単位は、８ＣＣＥに相当する。【００１０】
また、符号化前のＤＣＩには、ＤＣＩの送信先の通信端末を識別するために、通信端末のＩＤを示す１６ビット長のビット列でマスキングされた１６ビット長のＣＲＣ（Cyclic  Redundancy  Check）ビットが付加される。そして、各通信端末は、復号後のビット列のＣＲＣビット部分を自端末のＩＤでデマスキングすることによりＣＲＣを行って自端末宛てのＤＣＩを検出する。すなわち、各通信端末は、自端末のＩＤによるデマスキングによるＣＲＣが成功したときに、受信したＤＣＩが自端末宛てのＤＣＩであると判断する。このような自端末のＩＤを用いたＣＲＣによるＤＣＩの検出は「ブラインド検出」と呼ばれることがある。【００１１】
ここで、１サブフレームには、ＳＳ４と、ＳＳ５と、各通信端末毎にＳＳ０〜ＳＳ３とが含まれる。そして、通信端末は、各サーチスペースを構成するサーチ単位毎にブラインド検出を行う。図１に示すように、ＳＳ０〜ＳＳ５における全サーチ単位の合計数は２２個である。また、符号化前のＤＣＩのサイズはフォーマット毎に異なり、２種類のサイズのＤＣＩが存在するため、通信端末は、各サーチ単位において、２種類のサイズのＤＣＩの各々に対してブラインド検出を行う。よって、１サブフレームにおいて行われるブラインド検出の回数は、１通信端末あたり、最大で２２回×２＝４４回となる。
【先行技術文献】
【非特許文献】
【００１２】
【非特許文献１】3GPP  TR  36.913,  “Requirements  for  further  advancements  for  Evolved  Universal  Terrestrial  Radio  Access  (E-UTRA)  (LTE-Advanced)”,  V9.0.0,  Release  9,  December  2009.
【非特許文献２】3GPP  TR36.912,  “Feasibility  study  for  further  advancements  for  E-UTRA  (LTE-Advanced)”,  V9.3.0,  Release  9,  June  2010.
【非特許文献３】3GPP  TS36.321,  “Medium  Access  Control  (MAC)  protocol  specification”,  V10.2.0,  Release  10,  June  2011.
【非特許文献４】3GPP  TS36.133,  “Requirements  for  support  of  radio  resource  management”,  V10.3.0,  Release  10,  June  2011.
【非特許文献５】3GPP  TS36.213,  “Physical  layer  procedures”,  V10.2.0,  Release  10,  June  2011.
【非特許文献６】3GPP  TS36.300,  “Evolved  Universal  Terrestrial  Radio  Access  (E-UTRA)  and  Evolved  Universal  Terrestrial  Radio  Access  Network  (E-UTRAN)”,  V10.4.0,  Release  10,  June  2011.
【発明の概要】
【発明が解決しようとする課題】
【００１３】
ここで、現状のＬＴＥには、Ｄ２Ｄ通信用の無線リソースの割当結果を基地局から通信端末へ通知するためのＤＣＩのフォーマットは存在しない。そこで、Ｄ２Ｄ通信用の無線リソースの割当結果を通知するための新たなフォーマットのＤＣＩを導入することが考えられる。しかし、Ｄ２Ｄ通信用の新たなフォーマットのＤＣＩの導入は、通信端末におけるブラインド検出の回数の増加を招く。【００１４】
図２は、課題の説明に供する図である。図２において、「ＳＳ」はサーチスペースを示し、「ＡＬ」はアグリゲーションレベルを示し、括弧内の数字は、各サーチスペースを構成するサーチ単位の数を示す。上記図１で説明したように、セルラ通信用のサーチ単位は、１通信端末あたり、２２個存在する。また、従来は２種類のサイズのＤＣＩが存在するため、セルラ通信用のブラインド検出の回数は、上記のように、１通信端末あたり、１サブフレーム内で、最大で４４回となる。これに対し、例えば、各通信端末毎に用意された従来のＳＳ０〜ＳＳ３に倣って、Ｄ２Ｄ通信用の新たなフォーマットのＤＣＩのためにＳＳ６〜ＳＳ９を用意すると、Ｄ２Ｄ通信用のブラインド検出の回数は、１通信端末あたり、１サブフレーム内で、最大で、６＋６＋２＋２＝１６回となる。よって、セルラ通信及びＤ２Ｄ通信の双方を行うことが可能な通信端末では、１サブフレーム内で、最大で４４回＋１６回＝６０回のブラインド検出が行われることになる。つまり、ブラインド検出にかかる処理量が、従来よりも約３６％増加することになる。ブラインド検出の回数の増加は通信端末の消費電力の増大につながるため、できるだけブラインド検出の回数を減少させることが好ましい。【００１５】
開示の技術は、上記に鑑みてなされたものであって、Ｄ２Ｄ通信を行う際の通信端末の消費電力の増大を抑えることを目的とする。
【課題を解決するための手段】
【００１６】
開示の態様では、通信システムは、基地局と、第一通信端末と、前記基地局と通信可能な一方で、前記基地局を介さずに前記第一通信端末と直接通信可能な第二通信端末と、を有する。前記基地局は、第一領域と、第二領域と、第三領域とを含む制御情報を用いて、無線リソースの割当結果を前記第二通信端末へ通知する基地局である。また、前記基地局は、前記基地局と前記第二通信端末との間の通信に割り当てた第一無線リソースの第一割当結果を前記第一領域を用いて前記第二通信端末へ通知するときは、前記第二領域の値と前記第三領域の値との組合せを第一の特定の組合せとする。また、前記基地局は、前記第二通信端末と前記第一通信端末との間の直接通信に割り当てた第二無線リソースの第二割当結果を前記第一領域を用いて前記第二通信端末へ通知するときは、前記第二領域の値と前記第三領域の値との組合せを、前記第一の特定の組合せと異なる第二の特定の組合せとする。前記第二通信端末は、前記制御情報を検出する。また、前記第二通信端末は、検出した前記制御情報において前記第二領域の値と前記第三領域の値との組合せが前記第一の特定の組合せであると判断したときは、前記第一領域に示された前記第一割当結果に従って前記基地局と通信する。また、前記第二通信端末は、検出した前記制御情報において前記第二領域の値と前記第三領域の値との組合せが前記第二の特定の組合せであると判断したときは、前記第一領域に示された前記第二割当結果に従って前記第一通信端末と直接通信する。【００１７】
また、開示の態様では、通信システムは、基地局と、第一通信端末と、前記基地局と通信可能な一方で、前記基地局を介さずに前記第一通信端末と直接通信可能な第二通信端末と、を有する。前記基地局は、前記第二通信端末と前記第一通信端末との間の直接通信に割り当てた第一無線リソースの第一割当結果を前記第二通信端末へ通知する第一の制御情報と、前記基地局と前記第二通信端末との間の通信に割り当てた第二無線リソースの第二割当結果を前記第二通信端末へ通知する第二の制御情報が前記第一の制御情報の配置期間に存在するか否かを示す所定の情報とを一体として前記第二通信端末へ送信する。前記第二通信端末は、前記第一の制御情報を検出し、前記第一の制御情報と一体となっている前記所定の情報に基づいて、前記第二の制御情報に対する検出を前記配置期間において行うか否かを判断する。
【発明の効果】
【００１８】
開示の態様によれば、Ｄ２Ｄ通信を行う際の通信端末の消費電力の増大を抑えることができる。
【図面の簡単な説明】
【００１９】
【図１】図１は、従来のサーチスペースの説明に供する図である。
【図２】図２は、課題の説明に供する図である。
【図３】図３は、実施例１の通信システムの構成の一例を示す図である。
【図４】図４は、実施例１の基地局の構成の一例を示す機能ブロック図である。
【図５】図５は、フォーマット０のＤＣＩのフォーマット例を示す図である。
【図６】図６は、実施例１の通信端末の構成の一例を示す機能ブロック図である。
【図７】図７は、実施例１の基地局及び通信端末の動作の説明に供する図である。
【図８】図８は、実施例１の通信端末の処理の説明に供するフローチャートである。
【図９】図９は、実施例２の基地局の構成の一例を示す機能ブロック図である。
【図１０】図１０は、実施例２のＤ２Ｄ通信用ＤＣＩのフォーマット例を示す図である。
【図１１】図１１は、実施例２の通信端末の構成の一例を示す機能ブロック図である。
【図１２】図１２は、実施例２の基地局及び通信端末の動作の説明に供する図である。
【図１３】図１３は、実施例２の基地局の処理の説明に供するフローチャートである。
【図１４】図１４は、実施例２の通信端末の処理の説明に供するフローチャートである。
【図１５】図１５は、基地局のハードウェア構成例を示す図である。
【図１６】図１６は、通信端末のハードウェア構成例を示す図である。
【発明を実施するための形態】
【００２０】
以下に、本願の開示する通信システム、基地局及び通信端末の実施例を図面に基づいて詳細に説明する。なお、この実施例により本願の開示する通信システム、基地局及び通信端末が限定されるものではない。また、各実施例において同一の機能を有する構成、及び、同一の処理を行うステップには同一の符号を付し、重複する説明を省略する。
【００２１】
［実施例１］
＜通信システムの構成＞
図３は、実施例１の通信システムの構成の一例を示す図である。図３において、通信システム１は、図示しないネットワークに接続された基地局ＢＳ１と、通信端末ＵＥ１と、通信端末ＵＥ２とを有する。通信端末ＵＥ１は、基地局ＢＳ１と通信することが可能である。また、通信端末ＵＥ１は、基地局ＢＳ１を介さずに、通信端末ＵＥ２と直接通信すること、つまり、通信端末ＵＥ２とＤ２Ｄ通信を行うことが可能である。つまり、通信端末ＵＥ１は、セルラ通信及びＤ２Ｄ通信の双方を行うことが可能な通信端末である。基地局ＢＳ１は、セルＣ１を形成する。通信端末ＵＥ１は、セルラ通信の実行及びＤ２Ｄ通信の実行にあたって、基地局ＢＳ１からＤＣＩを受信する。
【００２２】
＜基地局の構成＞
図４は、実施例１の基地局の構成の一例を示す機能ブロック図である。図４に示す基地局１０は、図３に示す基地局ＢＳ１に相当する。図４において、基地局１０は、ＤＣＩ形成部１１と、ＰＤＣＣＨ信号生成部１０２，１０５と、マッピング部１０７と、無線送信部１０８と、送信アンテナ１０９とを有する。ＤＣＩ形成部１１は、Ｄ２Ｄ通信用ＤＣＩ形成部１０１と、セルラ通信用ＤＣＩ形成部１０４とを有する。また、基地局１０は、受信アンテナ１１１と、無線受信部１１２と、ユーザデータ取得部１１３とを有する。
【００２３】
Ｄ２Ｄ通信用ＤＣＩ形成部１０１には、通信端末ＵＥ１と通信端末ＵＥ２との間のＤ２Ｄ通信に割り当てた無線リソースの割当結果（以下では「Ｄ２Ｄ通信用ＲＡ（Resource  Allocation）結果」と呼ぶことがある）が入力される。Ｄ２Ｄ通信用ＤＣＩ形成部１０１は、特定のフォーマットに従って、Ｄ２Ｄ通信用ＲＡ結果を示すＤ２Ｄ通信用ＤＣＩを形成し、形成したＤ２Ｄ通信用ＤＣＩをＰＤＣＣＨ信号生成部１０２へ出力する。
【００２４】
セルラ通信用ＤＣＩ形成部１０４には、基地局１０と通信端末ＵＥ１との間のセルラ通信に割り当てた無線リソースの割当結果（以下では「セルラ通信用ＲＡ結果」と呼ぶことがある）が入力される。セルラ通信用ＤＣＩ形成部１０４は、特定のフォーマットに従って、セルラ通信用ＲＡ結果を示すセルラ通信用ＤＣＩを形成し、形成したセルラ通信用ＤＣＩをＰＤＣＣＨ信号生成部１０５へ出力する。
【００２５】
ここで、Ｄ２Ｄ通信用ＤＣＩ形成部１０１によって形成されるＤ２Ｄ通信用ＤＣＩと、セルラ通信用ＤＣＩ形成部１０４によって形成されるセルラ通信用ＤＣＩとは、同一の特定のフォーマットを採る。例えば、Ｄ２Ｄ通信用ＤＣＩ及びセルラ通信用ＤＣＩの双方とも、従来のフォーマット０を採る。
【００２６】
図５は、フォーマット０のＤＣＩのフォーマット例を示す図である。図５に示すように、フォーマット０のＤＣＩは、ＮＤＩ（New  Data  Indicator）フィールドと、ＲＡ（Resource  Allocation）フィールドと、ＭＣＳ（Modulation  and  Coding  Scheme）フィールドと、その他のフィールドとを有する。ＲＡフィールドには、無線リソースの割当結果（以下では「ＲＡ結果」と呼ぶことがある）が示される。通信端末は、基地局から割り当てられた無線リソースが新規データ送信用か、データ再送用かを、ＮＤＩフィールドに示される値によって知ることができる。ＭＣＳフィールドには、通信端末ＵＥ１から送信されるデータ信号のＭＣＳレベルが示され、ＭＣＳレベルは、例えば、０〜３１のうちの何れかの値を採る。０〜３１のそれぞれの値が具体的にどのような符号化率及び変調方式（ＱＰＳＫ，１６ＱＡＭ，６４ＱＡＭ等）を示すかは、例えば、３ＧＰＰの仕様が記載されるドキュメント中において規定される。Ｄ２Ｄ通信用ＤＣＩ及びセルラ通信用ＤＣＩは、例えば、図５に示すフォーマット０を採る。ただし、Ｄ２Ｄ通信用ＤＣＩと、セルラ通信用ＤＣＩとでは、ＮＤＩフィールドの値（以下では「ＮＤＩ値」と呼ぶことがある）と、ＭＣＳフィールドの値（以下では「ＭＣＳ値」と呼ぶことがある）との組合せが互いに異なる。Ｄ２Ｄ通信用ＤＣＩの詳細と、セルラ通信用ＤＣＩの詳細については、後述する。
【００２７】
ＰＤＣＣＨ信号生成部１０２は、Ｄ２Ｄ通信用ＤＣＩに対し符号化処理及び変調処理を施してＤ２Ｄ通信用のＰＤＣＣＨ信号を生成し、生成したＰＤＣＣＨ信号をマッピング部１０７へ出力する。
【００２８】
ＰＤＣＣＨ信号生成部１０５は、セルラ通信用ＤＣＩに対し符号化処理及び変調処理を施してセルラ通信用のＰＤＣＣＨ信号を生成し、生成したＰＤＣＣＨ信号をマッピング部１０７へ出力する。
【００２９】
ここで、ＰＤＣＣＨ信号生成部１０２，１０５は、通信端末ＵＥ１宛てのＤＣＩに対しては、通信端末ＵＥ１のＩＤを示すビット列でマスキングしたＣＲＣビットをＤＣＩに付加した後、ＤＣＩを符号化する。また、ＰＤＣＣＨ信号生成部１０２，１０５は、通信端末ＵＥ１への下りリンクの伝搬路品質が低下するほど、より低い符号化率でＤＣＩを符号化する。ＰＤＣＣＨ信号生成部１０２，１０５は、通信端末ＵＥ１以外の他の通信端末宛てのＤＣＩに対しても、同様の符号化処理を行う。
【００３０】
マッピング部１０７は、上記の図１に示すサーチスペースＳＳ０〜ＳＳ３のうちの何れか１つのサーチスペースのサーチ単位にＤ２Ｄ通信用のＰＤＣＣＨ信号をマッピングして無線送信部１０８へ出力する。また、マッピング部１０７は、上記の図１に示すサーチスペースＳＳ０〜ＳＳ５のうちの何れか１つのサーチスペースのサーチ単位にセルラ通信用のＰＤＣＣＨ信号をマッピングして無線送信部１０８へ出力する。ただし、Ｄ２Ｄ通信用のＰＤＣＣＨ信号と、セルラ通信用のＰＤＣＣＨ信号とは、互いに異なるサーチ単位にマッピングされる。
【００３１】
無線送信部１０８は、ベースバンドのＰＤＣＣＨ信号に対してディジタルアナログ変換、アップコンバート等を行って無線信号を得て、無線信号を送信アンテナ１０９を介して通信端末ＵＥ１へ送信する。この無線信号の送信により、Ｄ２Ｄ通信用ＤＣＩ及びセルラ通信用ＤＣＩが通信端末ＵＥ１へ通知される。
【００３２】
一方で、無線受信部１１２は、受信アンテナ１１１を介して通信端末ＵＥ１から受信した無線信号に対して、ダウンコンバート、アナログディジタル変換等を行ってベースバンド信号を得てユーザデータ取得部１１３へ出力する。
【００３３】
ユーザデータ取得部１１３は、上り回線（UpLink：ＵＬ）信号に対する通信端末ＵＥ１でのマッピング結果に従ってベースバンド信号からデータ信号を抽出し、抽出したデータ信号に対して復調処理及び復号処理を施してユーザデータを取得する。ＵＬ信号に対する通信端末ＵＥ１でのマッピングはセルラ通信用ＤＣＩに従って行われるため、ユーザデータ取得部１１３は、ＵＬ信号のマッピング結果を、ＤＣＩ形成部１１に入力されるセルラ通信用ＲＡ結果によって知ることができる。
【００３４】
＜通信端末の構成＞
図６は、実施例１の通信端末の構成の一例を示す機能ブロック図である。図６に示す通信端末２０は、図３に示す通信端末ＵＥ１に相当する。図６において、通信端末２０は、受信アンテナ２０１と、セパレータ２０２と、無線受信部２０３，２０６と、復調部２０４，２０７と、復号部２０５，２０８と、ブラインド検出部２０９と、通信制御部２１とを有する。通信制御部２１は、種別判断部２１１と、Ｄ２Ｄ通信制御部２１２と、セルラ通信制御部２１３とを有する。また、通信端末２０は、Ｄ２Ｄ通信部２２と、セルラ通信部２３と、無線送信部２２５と、送信アンテナ２２６とを有する。Ｄ２Ｄ通信部２２は、Ｄ２Ｄ信号形成部２１５と、符号化部２１６と、変調部２１７と、マッピング部２１８とを有する。セルラ通信部２３は、ＵＬ信号形成部２２１と、符号化部２２２と、変調部２２３と、マッピング部２２４とを有する。
【００３５】
セパレータ２０２は、受信アンテナ２０１を介して受信された無線信号を、通信端末ＵＥ２からの無線信号と、基地局ＢＳ１からの無線信号とに分離して、通信端末ＵＥ２からの無線信号を無線受信部２０３へ出力し、基地局ＢＳ１からの無線信号を無線受信部２０６へ出力する。
【００３６】
無線受信部２０３は、通信端末ＵＥ２からの無線信号に対して、ダウンコンバート、アナログディジタル変換等を行ってベースバンド信号を得て復調部２０４へ出力する。
【００３７】
復調部２０４は、無線受信部２０３から入力されるベースバンド信号に対して復調処理を行って、復調処理後の信号を復号部２０５へ出力する。
【００３８】
復号部２０５は、復調部２０４から入力される信号に対して復号処理を行う。復号部２０５での復号処理により、通信端末ＵＥ２から送信されたデータが得られる。
【００３９】
無線受信部２０６は、基地局ＢＳ１からの無線信号に対して、ダウンコンバート、アナログディジタル変換等を行ってベースバンドのＰＤＣＣＨ信号を得て復調部２０７へ出力する。
【００４０】
復調部２０７は、無線受信部２０６から入力されるＰＤＣＣＨ信号に対して復調処理を行って、復調処理後のＰＤＣＣＨ信号を復号部２０８へ出力する。
【００４１】
復号部２０８は、復調部２０７から入力されるＰＤＣＣＨ信号に対して復号処理を行う。復号部２０８での復号処理により、基地局ＢＳ１から送信された複数のＤＣＩが得られる。これらの複数のＤＣＩは、通信端末２０宛てのものと、通信端末２０以外の他の通信端末宛てのものとを含む。また、各ＤＣＩには、各通信端末のＩＤを示すビット列でマスキングされたＣＲＣビットが付加されている。復号部２０８は、復号後のビット列、つまり、ＣＲＣビットが付加されたＤＣＩをブラインド検出部２０９へ出力する。
【００４２】
ブラインド検出部２０９は、上記の図１に示すサーチスペースＳＳ０〜ＳＳ５の各々において、各サーチ単位毎にブラインド検出を行って、通信端末２０宛てのＤＣＩを検出し、検出したＤＣＩを種別判断部２１１へ出力する。
【００４３】
種別判断部２１１は、ブラインド検出によって検出されたＤＣＩの種別を判断する。ＤＣＩの種別は、Ｄ２Ｄ通信用ＤＣＩまたはセルラ通信用ＤＣＩである。種別判断部２１１は、検出されたＤＣＩにおけるＮＤＩ値とＭＣＳ値との組合せに基づいて、検出されたＤＣＩが、Ｄ２Ｄ通信用ＤＣＩまたはセルラ通信用ＤＣＩの何れであるかを判断する。種別判断部２１１は、検出されたＤＣＩがＤ２Ｄ通信用ＤＣＩであると判断したときは、ブラインド検出部２０９から入力されたＤＣＩをＤ２Ｄ通信制御部２１２へ出力する。一方で、種別判断部２１１は、検出されたＤＣＩがセルラ通信用ＤＣＩであると判断したときは、ブラインド検出部２０９から入力されたＤＣＩをセルラ通信制御部２１３へ出力する。つまり、Ｄ２Ｄ通信制御部２１２にはＤ２Ｄ通信用ＤＣＩが入力され、セルラ通信制御部２１３にはセルラ通信用ＤＣＩが入力される。種別判断部２１１での判断処理の詳細は後述する。
【００４４】
Ｄ２Ｄ通信制御部２１２は、Ｄ２Ｄ通信用ＤＣＩのＲＡフィールドに示されたＲＡ結果をマッピング部２１８へ通知する。また、Ｄ２Ｄ通信制御部２１２は、種別判断部２１１からＤＣＩを入力されると、Ｄ２Ｄ信号形成部２１５に対して、信号形成指示を出す。
【００４５】
Ｄ２Ｄ信号形成部２１５は、Ｄ２Ｄ通信制御部２１２から信号形成指示を受けると、通信端末ＵＥ２宛てのユーザデータをＤ２Ｄ通信の所定の信号フォーマットに変換してＤ２Ｄ信号を形成し、形成したＤ２Ｄ信号を符号化部２１６へ出力する。
【００４６】
符号化部２１６はＤ２Ｄ信号を符号化し、符号化後のＤ２Ｄ信号を変調部２１７へ出力する。
【００４７】
変調部２１７は、符号化後のＤ２Ｄ信号を変調し、変調後のＤ２Ｄ信号をマッピング部２１８へ出力する。
【００４８】
マッピング部２１８は、Ｄ２Ｄ通信制御部２１２から通知されたＲＡ結果が示す無線通信リソースにＤ２Ｄ信号をマッピングして無線送信部２２５へ出力する。
【００４９】
セルラ通信制御部２１３は、セルラ通信用ＤＣＩのＲＡフィールドに示されたＲＡ結果をマッピング部２２４へ通知する。また、セルラ通信制御部２１３は、種別判断部２１１からＤＣＩを入力されると、ＵＬ信号形成部２２１に対して、信号形成指示を出す。
【００５０】
ＵＬ信号形成部２２１は、セルラ通信制御部２１３から信号形成指示を受けると、基地局ＢＳ１宛てのユーザデータをＵＬ信号の所定の信号フォーマットに変換してＵＬ信号を形成し、形成したＵＬ信号を符号化部２２２へ出力する。
【００５１】
符号化部２２２はＵＬ信号を符号化し、符号化後のＵＬ信号を変調部２２３へ出力する。
【００５２】
変調部２２３は、符号化後のＵＬ信号を変調し、変調後のＵＬ信号をマッピング部２２４へ出力する。
【００５３】
マッピング部２２４は、セルラ通信制御部２１３から通知されたＲＡ結果が示す無線通信リソースにＵＬ信号をマッピングして無線送信部２２５へ出力する。
【００５４】
無線送信部２２５は、ベースバンドのＤ２Ｄ信号とベースバンドのＵＬ信号とに対してディジタルアナログ変換、アップコンバート等を行って各無線信号を得て、各無線信号を送信アンテナ２２６を介して通信端末ＵＥ２と基地局ＢＳ１とへそれぞれ送信する。
【００５５】
＜基地局及び通信端末の動作＞
図７は、実施例１の基地局及び通信端末の動作の説明に供する図である。図７には、フォーマット０のＤＣＩ（ＤＣＩ＿ｆ０）におけるＮＤＩ値とＭＣＳ値との組合せの一例を示す。
【００５６】
すなわち、基地局１０は、フォーマット０のＤＣＩをセルラ通信用のＤＣＩとして用いるときは、フォーマット０のＤＣＩにおいて、ＮＤＩ値とＭＣＳ値との組合せを以下の第一の特定の組合せにする。この第一の特定の組合せは、例えば、以下の組合せＡ及びＢである。組合せＡでは、ＮＤＩ値が“０”（新規）であり、かつ、ＭＣＳ値が０〜２８のうちの何れかの値である。組合せＢでは、ＮＤＩ値が“１”（再送）であり、かつ、ＭＣＳ値が２９〜３１のうちの何れかの値である。
【００５７】
一方で、基地局１０は、フォーマット０のＤＣＩをＤ２Ｄ通信用のＤＣＩとして用いるときは、フォーマット０のＤＣＩにおいて、ＮＤＩ値とＭＣＳ値との組合せを以下の第二の特定の組合せにする。この第二の特定の組合せは、例えば、以下の組合せＣ及びＤである。組合せＣでは、ＮＤＩ値が“０”（新規）であり、かつ、ＭＣＳ値が２９〜３１のうちの何れかの値である。組合せＤでは、ＮＤＩ値が“１”（再送）であり、かつ、ＭＣＳ値が０〜２８のうちの何れかの値である。この第二の特定の組合せは、現状のＬＴＥにおいて規定されていない新たな組合せであり、第一の特定の組合せと異なる組合せである。つまり、第二の特定の組合せは、第一の特定の組合せ以外の組合せである。
【００５８】
そこで、基地局１０において、Ｄ２Ｄ通信用ＤＣＩ形成部１０１は、第二の特定の組合せを持つＤＣＩのＲＡフィールドにＤ２Ｄ通信用ＲＡ結果をセットしてＤ２Ｄ通信用ＤＣＩを形成する。一方で、セルラ通信用ＤＣＩ形成部１０４は、第一の特定の組合せを持つＤＣＩのＲＡフィールドにセルラ通信用ＲＡ結果をセットしてセルラ通信用ＤＣＩを形成する。
【００５９】
これに対し、通信端末１０において、種別判断部２１１は、ブラインド検出されたＤＣＩがセルラ通信用ＤＣＩまたはＤ２Ｄ通信用ＤＣＩの何れであるかを、ブラインド検出されたＤＣＩにおけるＮＤＩ値とＭＣＳ値との組合せに基づいて判断する。ブラインド検出されたＤＣＩは、フォーマット０のＤＣＩである。
【００６０】
すなわち、種別判断部２１１は、ブラインド検出されたＤＣＩにおいて、ＮＤＩ値とＭＣＳ値との組合せが第一の特定の組合せであるときは、ブラインド検出されたＤＣＩがセルラ通信用ＤＣＩであると判断する。
【００６１】
一方で、種別判断部２１１は、ブラインド検出されたＤＣＩにおいて、ＮＤＩ値とＭＣＳ値との組合せが第二の特定の組合せであるときは、ブラインド検出されたＤＣＩがＤ２Ｄ通信用ＤＣＩであると判断する。
【００６２】
以上のようにして、実施例１では、互いに同一のフォーマット０のＤＣＩを、ＮＤＩ値とＭＣＳ値との組合せに応じて、セルラ通信用ＤＣＩと、Ｄ２Ｄ通信用ＤＣＩとに使い分けることができる。
【００６３】
なお、Ｄ２Ｄ通信用ＤＣＩのＭＣＳ値は必ずしもＭＣＳレベルを示さなくてもよい。例えば、Ｄ２Ｄ通信用のＤＣＩにおいて、ＭＣＳ値＝２９は、Ｄ２Ｄ通信に割り当てた無線リソースが１単位であることを示し、ＭＣＳ値＝３０は、Ｄ２Ｄ通信に割り当てた無線リソースが連続または所定周期の複数単位であることを示してもよい。また例えば、Ｄ２Ｄ通信用のＤＣＩにおいて、ＭＣＳ値＝３１は、ＭＣＳ値＝３０を用いて通知した無線リソースを解除することを示してもよい。
【００６４】
＜通信端末の処理＞
図８は、実施例１の通信端末の処理の説明に供するフローチャートである。このフローチャートは、ブラインド検出されたＤＣＩが種別判断部２１１に入力されたときに開始される。
【００６５】
種別判断部２１１は、ブラインド検出されたＤＣＩにおいて、ＮＤＩ値が“０”（新規）であるか否かを判断する（ステップＳ１１）。
【００６６】
ＮＤＩ値が“０”（新規）であるときは（ステップＳ１１：Ｙｅｓ）、種別判断部２１１は、ブラインド検出されたＤＣＩにおいて、ＭＣＳ値が０〜２８の何れかであるか否かを判断する（ステップＳ１２）。
【００６７】
一方で、ＮＤＩ値が“０”（新規）でないとき、つまり、ＮＤＩ値が“１”（再送）であるときは（ステップＳ１１：Ｎｏ）、種別判断部２１１は、ブラインド検出されたＤＣＩにおいて、ＭＣＳ値が２９〜３１の何れかであるか否かを判断する（ステップＳ１５）。
【００６８】
ＮＤＩ値が“０”（新規）であり（ステップＳ１１：Ｙｅｓ）、かつ、ＭＣＳ値が０〜２８の何れかであるときは（ステップＳ１２：Ｙｅｓ）、ＵＬ信号形成部２２１が、ＵＬ信号として、基地局ＢＳ１への新規データ信号を形成する（ステップＳ１３）。
【００６９】
ＮＤＩ値が“１”（再送）であり（ステップＳ１１：Ｎｏ）、かつ、ＭＣＳ値が２９〜３１の何れかであるときは（ステップＳ１５：Ｙｅｓ）、ＵＬ信号形成部２２１が、ＵＬ信号として、基地局ＢＳ１への再送データ信号を形成する（ステップＳ１６）。
【００７０】
ＮＤＩ値が“０”（新規）であり（ステップＳ１１：Ｙｅｓ）、かつ、ＭＣＳ値が０〜２８の何れかでないとき、つまり、２９〜３１の何れかであるときは（ステップＳ１２：Ｎｏ）、Ｄ２Ｄ信号形成部２１５が、通信端末ＵＥ２へのデータ信号を形成する（ステップＳ１４）。
【００７１】
また、ＮＤＩ値が“１”（再送）であり（ステップＳ１１：Ｎｏ）、かつ、ＭＣＳ値が２９〜３１の何れかでないとき、つまり、０〜２８の何れかであるときは（ステップＳ１５：Ｎｏ）、Ｄ２Ｄ信号形成部２１５が、通信端末ＵＥ２へのデータ信号を形成する（ステップＳ１４）。
【００７２】
以上のように、実施例１では、通信システム１は、基地局ＢＳ１と、通信端末ＵＥ１と、通信端末ＵＥ２とを有する。通信端末ＵＥ１は、基地局ＢＳ１とセルラ通信が可能な一方で、基地局ＢＳ１を介さずに通信端末ＵＥ２とＤ２Ｄ通信が可能である。
【００７３】
基地局ＢＳ１は、ＲＡフィールドと、ＮＤＩフィールドと、ＭＣＳフィールドとを含むＤＣＩを用いて、ＲＡ結果を通信端末ＵＥ１へ通知する。基地局ＢＳ１は、セルラ通信用ＲＡ結果をＲＡフィールドを用いて通信端末ＵＥ１へ通知するときは、ＮＤＩ値とＭＣＳ値との組合せを第一の特定の組合せとする。また、基地局ＢＳ１は、Ｄ２Ｄ通信用ＲＡ結果をＲＡフィールドを用いて通信端末ＵＥ１へ通知するときは、ＮＤＩ値とＭＣＳ値との組合せを、第一の特定の組合せと異なる第二の特定の組合せとする。
【００７４】
これに対し、通信端末ＵＥ１は、基地局ＢＳ１からのＤＣＩを検出する。通信端末ＵＥ１は、検出したＤＣＩにおいてＮＤＩ値とＭＣＳ値との組合せが第一の特定の組合せであると判断したときは、ＲＡフィールドに示されたＲＡ結果に従って基地局ＢＳ１とセルラ通信する。また、通信端末ＵＥ１は、検出したＤＣＩにおいてＮＤＩ値とＭＣＳ値との組合せが第二の特定の組合せであると判断したときは、ＲＡフィールドに示されたＲＡ結果に従って通信端末ＵＥ２とＤ２Ｄ通信する。
【００７５】
また、基地局１０は、ＲＡフィールドと、ＮＤＩフィールドと、ＭＣＳフィールドとを含むＤＣＩを用いて、ＲＡ結果を、基地局１０と通信可能な一方で、通信端末ＵＥ２とＤ２Ｄ通信が可能な通信端末２０へ通知する。基地局１０は、セルラ通信用ＤＣＩ形成部１０４と、Ｄ２Ｄ通信用ＤＣＩ形成部１０１とを有する。セルラ通信用ＤＣＩ形成部１０４は、セルラ通信用ＲＡ結果をＲＡフィールドを用いて通信端末２０へ通知するときに、ＮＤＩ値とＭＣＳ値との組合せを第一の特定の組合せとしたＤＣＩを形成する。また、Ｄ２Ｄ通信用ＤＣＩ形成部１０１は、Ｄ２Ｄ通信用ＲＡ結果をＲＡフィールドを用いて通信端末２０へ通知するときに、ＮＤＩ値とＭＣＳ値との組合せを、第一の特定の組合せと異なる第二の特定の組合せとしたＤＣＩを形成する。
【００７６】
また、通信端末２０は、ＲＡフィールドと、ＮＤＩフィールドと、ＭＣＳフィールドとを含むＤＣＩを用いてＲＡ結果を通知する基地局１０とセルラ通信が可能な一方で、基地局１０を介さずに通信端末ＵＥ２とＤ２Ｄ通信が可能である。通信端末２０は、ブラインド検出部２０９と、種別判断部２１１と、セルラ通信部２３と、Ｄ２Ｄ通信部２２とを有する。ブラインド検出部２０９は、通信端末２０宛てのＤＣＩを検出する。種別判断部２１１は、検出されたＤＣＩにおいてＮＤＩ値とＭＣＳ値との組合せを判断する。セルラ通信部２３は、ＮＤＩ値とＭＣＳ値との組合せが第一の特定の組合せであるときに、ＲＡフィールドに示されたＲＡ結果に従って基地局１０とセルラ通信する。また、Ｄ２Ｄ通信部２２は、ＮＤＩ値とＭＣＳ値との組合せが、第一の特定の組合せと異なる第二の特定の組合せであるときに、ＲＡフィールドに示されたＲＡ結果に従って通信端末ＵＥ２とＤ２Ｄ通信する。
【００７７】
こうすることで、Ｄ２Ｄ通信用の新たなフォーマットのＤＣＩを導入することなく、既存のフォーマット（例えばフォーマット０）を採るＤＣＩをＤ２Ｄ通信用ＤＣＩに流用して、Ｄ２Ｄ通信用ＲＡ結果を通信端末ＵＥ１（通信端末１０）へ通知することができる。また、既存のフォーマットを採るＤＣＩをＤ２Ｄ通信用ＤＣＩに流用すると、セルラ通信用ＤＣＩとＤ２Ｄ通信用ＤＣＩとの間で、フォーマットサイズを同一にすることができる。これにより、Ｄ２Ｄ通信用の新たなフォーマットのＤＣＩのための新たなサーチスペースを用意しなくてもよくなるため、通信端末ＵＥ１での１サブフレームにおけるブラインド検出の最大回数は、従来と同一の回数（例えば、４４回）に保たれる。つまり、実施例１によれば、ブランド検出の回数を従来から増加させることなく、Ｄ２Ｄ通信用ＲＡ結果を通信端末ＵＥ１へ通知することができるため、Ｄ２Ｄ通信を行う際の通信端末ＵＥ１の消費電力の増大を抑えることができる。また、第一の特定の組合せと第二の特定の組合せとは、互いに異なる組合せであるため、通信端末ＵＥ１は、検出したＤＣＩが、セルラ通信用ＤＣＩまたはＤ２Ｄ通信用ＤＣＩの何れであるかを確実に判断することができる。
【００７８】
また、実施例１によれば、第一の特定の組合せは、ＮＤＩ値“０”（新規データ）とＭＣＳ値“０〜２８”との組合せ、または、ＮＤＩ値‘１’（再送データ）と、ＭＣＳ値“２９〜３１”との組合せである。また、第二の特定の組合せは、ＮＤＩ値“１”（再送データ）とＭＣＳ値“０〜２８”との組合せ、または、ＮＤＩ値‘０’（新規データ）と、ＭＣＳ値“２９〜３１”との組合せである。
【００７９】
こうすることで、ＮＤＩ値とＭＣＳ値との複数種類の組合せのうち、既存の第一の特定の組合せには存在しない組合せを新たな第二の特定の組合せとすることができるため、第一の特定の組合せと異なる第二の特定の組合せを簡便に規定することができる。
【００８０】
［実施例２］
＜通信システムの構成＞
実施例２の通信システムの構成は、実施例１と同一であるため、説明を省略する。
【００８１】
＜基地局の構成＞
図９は、実施例２の基地局の構成の一例を示す機能ブロック図である。図９に示す基地局３０は、図３に示す基地局ＢＳ１に相当する。図９において、基地局３０は、ＤＣＩ形成部３１と、ＰＤＣＣＨ信号生成部１０２，１０５と、マッピング部３０５と、無線送信部１０８と、送信アンテナ１０９とを有する。ＤＣＩ形成部３１は、Ｄ２Ｄ通信用ＤＣＩ形成部３０１と、セルラ通信用ＤＣＩ形成部３０２とを有する。また、基地局３０は、受信アンテナ１１１と、無線受信部１１２と、ユーザデータ取得部１１３とを有する。
【００８２】
Ｄ２Ｄ通信用ＤＣＩ形成部３０１には、Ｄ２Ｄ通信用ＲＡ結果が入力される。Ｄ２Ｄ通信用ＤＣＩ形成部３０１は、Ｄ２Ｄ通信用ＲＡ結果が入力された場合、つまり、通信端末ＵＥ１へ送信するＤ２Ｄ通信用ＲＡ結果がある場合、順次送信されるサブフレーム０〜９のうち次回送信されるサブフレーム＃ｋに空きリソースがあるか否かを判断する。Ｄ２Ｄ通信用ＤＣＩ形成部３０１は、この判断を、サブフレーム０〜９に対して順次行う。そして、Ｄ２Ｄ通信用ＤＣＩ形成部３０１は、空きリソースがあったサブフレーム＃ｘをマッピング部３０５に通知するとともに、Ｄ２Ｄ通信用ＲＡ結果を示すＤ２Ｄ通信用ＤＣＩを形成し、形成したＤ２Ｄ通信用ＤＣＩをＰＤＣＣＨ信号生成部１０２へ出力する。
【００８３】
セルラ通信用ＤＣＩ形成部３０２には、セルラ通信用ＲＡ結果が入力される。セルラ通信用ＤＣＩ形成部３０２は、セルラ通信用ＲＡ結果が入力された場合、つまり、通信端末ＵＥ１へ送信するセルラ通信用ＲＡ結果がある場合、順次送信されるサブフレーム０〜９のうち次回送信されるサブフレーム＃ｋに空きリソースがあるか否かを判断する。セルラ通信用ＤＣＩ形成部３０２は、この判断を、サブフレーム０〜９に対して順次行う。そして、セルラ通信用ＤＣＩ形成部３０２は、空きリソースがあったサブフレーム＃ｙをマッピング部３０５に通知するとともに、セルラ通信用ＲＡ結果を示すセルラ通信用ＤＣＩを形成し、形成したセルラ通信用ＤＣＩをＰＤＣＣＨ信号生成部１０５へ出力する。
【００８４】
また、セルラ通信用ＤＣＩ形成部３０２は、空きリソースがあったサブフレーム＃ｙをＤ２Ｄ通信用ＤＣＩ形成部３０１へ通知する。Ｄ２Ｄ通信用ＤＣＩ形成部３０１は、サブフレーム＃ｘとサブフレーム＃ｙとが一致するか否か、つまり、Ｄ２Ｄ通信用ＤＣＩとセルラ通信用ＤＣＩとが同一サブフレームで送信されるか否かを判断する。そして、Ｄ２Ｄ通信用ＤＣＩ形成部３０１は、この判断の結果に応じて、図１０に示すフラグを形成してＤ２Ｄ通信用ＤＣＩに付加する。図１０は、実施例２のＤ２Ｄ通信用ＤＣＩのフォーマット例を示す図である。
【００８５】
Ｄ２Ｄ通信用ＤＣＩ形成部３０１は、サブフレーム＃ｘとサブフレーム＃ｙとが一致しない場合は、Ｄ２Ｄ通信用ＤＣＩとセルラ通信用ＤＣＩとが異なるサブフレームで送信されると判断する。Ｄ２Ｄ通信用ＤＣＩ形成部３０１は、Ｄ２Ｄ通信用ＤＣＩとセルラ通信用ＤＣＩとが異なるサブフレームで送信されると判断した場合、つまり、Ｄ２Ｄ通信用ＤＣＩが送信されるサブフレームでは、セルラ通信用ＤＣＩが送信されないと判断した場合、値が‘０’フラグを形成する。
【００８６】
一方で、Ｄ２Ｄ通信用ＤＣＩ形成部３０１は、サブフレーム＃ｘとサブフレーム＃ｙとが一致する場合は、Ｄ２Ｄ通信用ＤＣＩとセルラ通信用ＤＣＩとが同一サブフレームで送信されると判断する。Ｄ２Ｄ通信用ＤＣＩ形成部３０１は、Ｄ２Ｄ通信用ＤＣＩとセルラ通信用ＤＣＩとが同一サブフレームで送信されると判断した場合、つまり、Ｄ２Ｄ通信用ＤＣＩが送信されるサブフレームにおいてセルラ通信用ＤＣＩも送信されると判断した場合、値が‘１’のフラグを形成する。
【００８７】
ここで、サブフレームは、ＤＣＩが配置される一単位の期間に相当する。このため、Ｄ２Ｄ通信用ＤＣＩとセルラ通信用ＤＣＩとが同一サブフレームで送信されるか否かの判断結果に応じて形成されるフラグは、セルラ通信用ＤＣＩがＤ２Ｄ通信用ＤＣＩの配置期間に存在するか否かを示す所定の情報に相当する。
【００８８】
マッピング部３０５は、Ｄ２Ｄ通信用ＤＣＩ形成部３０１から通知されたサブフレーム＃ｘにおいて、上記の図２に示すサーチスペースＳＳ６〜ＳＳ９のうちの何れか１つのサーチスペースのサーチ単位にＤ２Ｄ通信用のＰＤＣＣＨ信号をマッピングして無線送信部１０８へ出力する。また、マッピング３０５は、セルラ通信用ＤＣＩ形成部３０２から通知されたサブフレーム＃ｙにおいて、上記の図２に示すサーチスペースＳＳ０〜ＳＳ５のうちの何れか１つのサーチスペースのサーチ単位にセルラ通信用のＰＤＣＣＨ信号をマッピングして無線送信部１０８へ出力する。
【００８９】
無線送信部１０８は、ベースバンドのＰＤＣＣＨ信号に対してディジタルアナログ変換、アップコンバート等を行って無線信号を得て、無線信号を送信アンテナ１０９を介して通信端末ＵＥ１へ送信する。この無線信号の送信により、Ｄ２Ｄ通信用ＤＣＩ及びセルラ通信用ＤＣＩが通信端末ＵＥ１へ通知される。また、上記の図１０に示すように、‘０’または‘１’の値を採るフラグはＤ２Ｄ通信用ＤＣＩに付加されているため、この無線信号の送信により、Ｄ２Ｄ通信用ＤＣＩとフラグとが一体として通信端末ＵＥ１へ通知される。
【００９０】
＜通信端末の構成＞
図１１は、実施例２の通信端末の構成の一例を示す機能ブロック図である。図１１に示す通信端末４０は、図３に示す通信端末ＵＥ１に相当する。図１１において、通信端末４０は、受信アンテナ２０１と、セパレータ２０２と、無線受信部２０３，２０６と、復調部２０４，２０７と、復号部２０５，２０８と、バッファ４０１と、ブラインド検出部４５とを有する。ブラインド検出部４５は、Ｄ２Ｄ通信用ブラインド検出部４０２と、セルラ通信用ブラインド検出部４０３とを有する。また、通信端末４０は、通信制御部４６と、Ｄ２Ｄ通信部２２と、セルラ通信部２３と、無線送信部２２５と、送信アンテナ２２６とを有する。通信制御部４６は、Ｄ２Ｄ通信制御部４１１と、セルラ通信制御部４１２とを有する。Ｄ２Ｄ通信部２２は、Ｄ２Ｄ信号形成部２１５と、符号化部２１６と、変調部２１７と、マッピング部２１８とを有する。セルラ通信部２３は、ＵＬ信号形成部２２１と、符号化部２２２と、変調部２２３と、マッピング部２２４とを有する。
【００９１】
復号部２０８は、復調部２０７から入力されるＰＤＣＣＨ信号に対して復号処理を行う。復号部２０８での復号処理により、基地局ＢＳ１から送信された複数のＤＣＩが得られる。これらの複数のＤＣＩは、通信端末４０宛てのものと、通信端末４０以外の他の通信端末宛てのものとを含む。また、各ＤＣＩには、各通信端末のＩＤを示すビット列でマスキングされたＣＲＣビットが付加されている。復号部２０８は、復号後のビット列、つまり、ＣＲＣビットが付加されたＤＣＩをバッファ４０１に出力する。
【００９２】
バッファ４０１は、復号部２０８から出力される複数のＤＣＩを、サブフレーム０〜９の各サブフレーム毎に一時的に蓄える。
【００９３】
Ｄ２Ｄ通信用ブラインド検出部４０２は、バッファ４０１を参照し、サブフレーム０〜９の各サブフレーム毎に、サーチスペースＳＳ６〜ＳＳ９（図２）の各々において、各サーチ単位毎にブラインド検出を行う。
【００９４】
Ｄ２Ｄ通信用ブラインド検出部４０２は、ブラインド検出によって通信端末４０宛てのＤ２Ｄ通信用ＤＣＩを検出したときは、検出したＤ２Ｄ通信用ＤＣＩに付加されているフラグを取得するとともに、検出したＤ２Ｄ通信用ＤＣＩをＤ２Ｄ通信制御部４１１へ出力する。また、このときは、Ｄ２Ｄ通信用ブラインド検出部４０２は、取得したフラグをセルラ通信用ブラインド検出部４０３へ出力するとともに、そのフラグが付加されていたＤ２Ｄ通信用ＤＣＩを検出したサブフレーム＃ａをそのフラグに対応づけてセルラ通信用ブラインド検出部４０３へ通知する。
【００９５】
また、Ｄ２Ｄ通信用ブラインド検出部４０２は、ブラインド検出によって通信端末４０宛てのＤ２Ｄ通信用ＤＣＩが検出されなかったときは、Ｄ２Ｄ通信用ＤＣＩが検出されなかったサブフレーム＃ｂをセルラ通信用ブラインド検出部４０３へ通知する。Ｄ２Ｄ通信用ＤＣＩが検出されなかったときはフラグも取得されないため、サブフレーム＃ｂにはフラグが対応づけられていない。
【００９６】
セルラ通信用ブラインド検出部４０３は、Ｄ２Ｄ通信用ブラインド検出部４０２から入力されたフラグの値に基づいて、セルラ通信用ＤＣＩのブラインド検出をサブフレーム＃ａにおいて行うか否かを判断する。
【００９７】
セルラ通信用ブラインド検出部４０３は、サブフレーム＃ａに対応づけられているフラグの値が“０”の場合は、セルラ通信用ＤＣＩのブラインド検出をサブフレーム＃ａにおいて行わないと判断する。よって、セルラ通信用ブラインド検出部４０３は、フラグの値が“０”の場合は、サブフレーム＃ａにおいて、セルラ通信用ＤＣＩのブラインド検出を行わない。
【００９８】
一方で、セルラ通信用ブラインド検出部４０３は、サブフレーム＃ａに対応づけられているフラグの値が“１”の場合は、セルラ通信用ＤＣＩのブラインド検出をサブフレーム＃ａにおいて行うと判断する。そこで、セルラ通信用ブラインド検出部４０３は、フラグの値が“１”の場合は、バッファ４０１を参照し、サブフレーム＃ａにおいて、セルラ通信用ＤＣＩのブラインド検出を行う。そして、セルラ通信用ブラインド検出部４０３は、ブラインド検出によって通信端末４０宛てのセルラ通信用ＤＣＩを検出し、検出したセルラ通信用ＤＣＩをセルラ通信制御部４１２へ出力する。
【００９９】
また、セルラ通信用ブラインド検出部４０３は、フラグが対応づけられていないサブフレーム＃ｂに対しては、バッファ４０１を参照し、サブフレーム＃ｂにおいて、セルラ通信用ＤＣＩのブラインド検出を行う。そして、セルラ通信用ブラインド検出部４０３は、ブラインド検出によって通信端末４０宛てのセルラ通信用ＤＣＩを検出したときは、検出したセルラ通信用ＤＣＩをセルラ通信制御部４１２へ出力する。
【０１００】
Ｄ２Ｄ通信制御部４１１は、Ｄ２Ｄ通信用ＤＣＩのＲＡフィールドに示されたＲＡ結果をマッピング部２１８へ通知する。また、Ｄ２Ｄ通信制御部４１１は、Ｄ２Ｄ通信用ブラインド検出部４０２からＤ２Ｄ通信用ＤＣＩを入力されると、Ｄ２Ｄ信号形成部２１５に対して、信号形成指示を出す。
【０１０１】
セルラ通信制御部４１２は、セルラ通信用ＤＣＩのＲＡフィールドに示されたＲＡ結果をマッピング部２２４へ通知する。また、セルラ通信制御部４１２は、セルラ通信用ブラインド検出部４０３からセルラ通信用ＤＣＩを入力されると、ＵＬ信号形成部２２１に対して、信号形成指示を出す。
【０１０２】
＜基地局及び通信端末の動作＞
図１２は、実施例２の基地局及び通信端末の動作の説明に供する図である。
【０１０３】
例えば、サブフレーム＃０において、基地局３０は、Ｄ２Ｄ通信用ＤＣＩを送信する一方で、セルラ通信用ＤＣＩを送信しない場合は、Ｄ２Ｄ通信用ＤＣＩに付加されるフラグの値を“０”に設定する。よって、サブフレーム＃０では、Ｄ２Ｄ通信用ＤＣＩが検出された通信端末４０は、フラグの値が“０”であるため、サブフレーム＃０内にはセルラ通信用ＤＣＩが存在しないと認識する。よって、サブフレーム＃０では、通信端末４０は、セルラ通信用ＤＣＩに対するブラインド検出を行わない。
【０１０４】
また例えば、サブフレーム＃１では、基地局３０は、セルラ通信用ＤＣＩを送信する一方で、Ｄ２Ｄ通信用ＤＣＩを送信しない。よって、サブフレーム＃１では、通信端末４０によってＤ２Ｄ通信用ＤＣＩが検出されないため、通信端末４０は、セルラ通信用ＤＣＩに対するブラインド検出を行う。
【０１０５】
また例えば、サブフレーム＃２において、基地局３０は、Ｄ２Ｄ通信用ＤＣＩ及びセルラ通信用ＤＣＩの双方を送信する場合は、Ｄ２Ｄ通信用ＤＣＩに付加されるフラグの値を“１”に設定する。よって、サブフレーム＃２では、Ｄ２Ｄ通信用ＤＣＩが検出された通信端末４０は、フラグの値が“１”であるため、サブフレーム＃０内にはセルラ通信用ＤＣＩが存在すると認識する。よって、サブフレーム＃０では、通信端末４０は、セルラ通信用ＤＣＩに対するブラインド検出を行う。
【０１０６】
なお、フラグとＤ２Ｄ通信用ＤＣＩとを一体にするのにあたり、必ずしもフラグをＤ２Ｄ通信用ＤＣＩに付加することで一体化しなくてもよい。例えば、フラグを含むＤ２Ｄ通信用ＤＣＩを形成することにより、フラグとＤ２Ｄ通信用ＤＣＩとを一体にしてもよい。
【０１０７】
＜基地局の処理＞
図１３は、実施例２の基地局の処理の説明に供するフローチャートである。このフローチャートは、基地局３０の電源がオンにされたときに開始される。
【０１０８】
まず、ＤＣＩ形成部３１は、ｋを初期値である“１０”に設定する（ステップＳ１０１）。
【０１０９】
次いで、ＤＣＩ形成部３１は、“＃ｋ＝ｍｏｄ（ｋ,１０）”なる式に従って、ｋを１０で割ったときの余りを＃ｋとして求める（ステップＳ１０２）。よって、ｋが１０から１ずつ増加する場合、＃ｋは０〜９の値を採る。＃ｋはサブフレーム番号に相当する。
【０１１０】
次いで、ＤＣＩ形成部３１は、通信端末４０へ送信するＤ２Ｄ通信用ＲＡ結果があるか否かを判断する（ステップＳ１０３）。
【０１１１】
通信端末４０へ送信するＤ２Ｄ通信用ＲＡ結果がある場合（ステップＳ１０３：Ｙｅｓ）、ＤＣＩ形成部３１は、サブフレーム＃ｋに、Ｄ２Ｄ通信用ＤＣＩを送信可能な空きリソースがあるか否かを判断する（ステップＳ１０４）。
【０１１２】
サブフレーム＃ｋに空きリソースがある場合（ステップＳ１０４：Ｙｅｓ）、ＤＣＩ形成部３１は、通信端末４０へ送信するセルラ通信用ＲＡ結果があるか否かを判断する（ステップＳ１０５）。
【０１１３】
通信端末４０へ送信するセルラ通信用ＲＡ結果がある場合（ステップＳ１０５：Ｙｅｓ）、ＤＣＩ形成部３１は、サブフレーム＃ｋに、セルラ通信用ＤＣＩを送信可能な空きリソースがあるか否かを判断する（ステップＳ１０６）。
【０１１４】
サブフレーム＃ｋに空きリソースがある場合（ステップＳ１０６：Ｙｅｓ）、ＤＣＩ形成部３１は、フラグを“１”に設定し（ステップＳ１０８）、無線送信部１０８は、セルラ通信用ＤＣＩをサブフレーム＃ｋで送信する（ステップＳ１０９）。
【０１１５】
セルラ通信用ＲＡ結果がない場合（ステップＳ１０５：Ｎｏ）、または、セルラ通信用ＤＣＩを送信可能な空きリソースがサブフレーム＃ｋにない場合（ステップＳ１０６：Ｎｏ）、ＤＣＩ形成部３１は、フラグを“０”に設定する（ステップＳ１０７）。
【０１１６】
次いで、無線送信部１０８は、Ｄ２Ｄ通信用ＤＣＩをサブフレーム＃ｋで送信する（ステップＳ１１０）。その後、ＤＣＩ形成部３１は、ｋを１だけインクリメントし（ステップＳ１１１）、処理は、ステップＳ１０２に戻る。
【０１１７】
つまり、サブフレーム＃ｋに、Ｄ２Ｄ通信用ＤＣＩ及びセルラ通信用ＤＣＩの双方を送信可能な空きリソースがあるときに、セルラ通信用ＤＣＩと、値が“１”のフラグを持つＤ２Ｄ通信用ＤＣＩとが、同一のサブフレーム＃ｋで送信される。
【０１１８】
また、サブフレーム＃ｋに、Ｄ２Ｄ通信用ＤＣＩを送信可能な空きリソースがあるが、セルラ通信用ＤＣＩを送信可能な空きリソースがないときに、サブフレーム＃ｋでは、値が“０”のフラグを持つＤ２Ｄ通信用ＤＣＩが送信され、セルラ通信用ＤＣＩは送信されない。
【０１１９】
Ｄ２Ｄ通信用ＲＡ結果がない場合（ステップＳ１０３：Ｎｏ）、または、Ｄ２Ｄ通信用ＤＣＩを送信可能な空きリソースがサブフレーム＃ｋにない場合（ステップＳ１０４：Ｎｏ）、ＤＣＩ形成部３１は、通信端末４０へ送信するセルラ通信用ＲＡ結果があるか否かを判断する（ステップＳ１１５）。
【０１２０】
通信端末４０へ送信するセルラ通信用ＲＡ結果がある場合（ステップＳ１１５：Ｙｅｓ）、ＤＣＩ形成部３１は、サブフレーム＃ｋに、セルラ通信用ＤＣＩを送信可能な空きリソースがあるか否かを判断する（ステップＳ１１６）。
【０１２１】
サブフレーム＃ｋに空きリソースがある場合（ステップＳ１１６：Ｙｅｓ）、無線送信部１０８は、セルラ通信用ＤＣＩをサブフレーム＃ｋで送信する（ステップＳ１１７）。その後、ＤＣＩ形成部３１は、ｋを１だけインクリメントし（ステップＳ１１８）、処理は、ステップＳ１０２に戻る。
【０１２２】
また、セルラ通信用ＲＡ結果がない場合（ステップＳ１１５：Ｎｏ）、または、セルラ通信用ＤＣＩを送信可能な空きリソースがサブフレーム＃ｋにない場合（ステップＳ１１６：Ｎｏ）、ＤＣＩ形成部３１は、ｋを１だけインクリメントし（ステップＳ１１８）、処理は、ステップＳ１０２に戻る。
【０１２３】
＜通信端末の処理＞
図１４は、実施例２の通信端末の処理の説明に供するフローチャートである。このフローチャートは、通信端末４０の電源がオンにされたときに開始される。
【０１２４】
まず、ブラインド検出部４５は、ｋを初期値である“１０”に設定する（ステップＳ２０１）。
【０１２５】
次いで、ブラインド検出部４５は、“＃ｋ＝ｍｏｄ（ｋ,１０）”なる式に従って、ｋを１０で割ったときの余りを＃ｋとして求める（ステップＳ２０２）。よって、ｋが１０から１ずつ増加する場合、＃ｋは０〜９の値を採る。＃ｋはサブフレーム番号に相当する。
【０１２６】
次いで、ブラインド検出部４５は、サブフレーム＃ｋにおいて、Ｄ２Ｄ通信用ＤＣＩに対するブラインド検出を行う（ステップＳ２０３）。
【０１２７】
ブラインド検出部４５は、ブラインド検出により自端末宛てのＤ２Ｄ通信用ＤＣＩを検出した場合（ステップＳ２０４：Ｙｅｓ）、Ｄ２Ｄ通信用ＤＣＩのフラグの値が“１”か否かを判断する（ステップＳ２０５）。
【０１２８】
フラグの値が“１”の場合（ステップＳ２０５：Ｙｅｓ）、ブラインド検出部４５は、サブフレーム＃ｋにおいて、セルラ通信用ＤＣＩに対するブラインド検出を行って自端末宛てのセルラ通信用ＤＣＩを検出する（ステップＳ２０６）。そして、セルラ通信制御部４１２及びセルラ通信部２３が、セルラ通信用の送信処理を行う（ステップＳ２０７）。
【０１２９】
フラグの値が“１”でない場合、つまり、フラグの値が“０”の場合（ステップＳ２０５：Ｎｏ）、ステップＳ２０６及びステップＳ２０７の処理は行われず、Ｄ２Ｄ通信制御部４１１及びＤ２Ｄ通信部２２が、Ｄ２Ｄ通信用の送信処理を行う（ステップＳ２０８）。つまり、フラグの値が“０”の場合は、サブフレーム＃ｋにおいて、セルラ通信用ＤＣＩに対するブラインド検出は行われない。
【０１３０】
Ｄ２Ｄ通信用の送信処理後、ブラインド検出部４５は、ｋを１だけインクリメントし（ステップＳ２０９）、処理は、ステップＳ２０２に戻る。
【０１３１】
ステップＳ２０４において自端末宛てのＤ２Ｄ通信用ＤＣＩが検出されない場合（ステップＳ２０４：Ｎｏ）、ブラインド検出部４５は、サブフレーム＃ｋにおいて、セルラ通信用ＤＣＩに対するブラインド検出を行う（ステップＳ２１５）。
【０１３２】
次いで、ステップＳ２１５でのブラインド検出により自端末宛てのセルラ通信用ＤＣＩが検出された場合（ステップＳ２１６：Ｙｅｓ）、セルラ通信制御部４１２及びセルラ通信部２３が、セルラ通信用の送信処理を行う（ステップＳ２１７）。
【０１３３】
セルラ通信用の送信処理後、ブラインド検出部４５は、ｋを１だけインクリメントし（ステップＳ２１８）、処理は、ステップＳ２０２に戻る。
【０１３４】
また、ステップＳ２１６において自端末宛てのセルラ通信用ＤＣＩが検出されない場合（ステップＳ２１６：Ｎｏ）、ブラインド検出部４５は、ｋを１だけインクリメントし（ステップＳ２１８）、処理は、ステップＳ２０２に戻る。
【０１３５】
以上のように、実施例２では、通信システム１は、基地局ＢＳ１と、通信端末ＵＥ１と、通信端末ＵＥ２とを有する。通信端末ＵＥ１は、基地局ＢＳ１とセルラ通信が可能な一方で、基地局ＢＳ１を介さずに通信端末ＵＥ２とＤ２Ｄ通信が可能である。
【０１３６】
基地局ＢＳ１は、Ｄ２Ｄ通信用ＲＡ結果を通知するＤ２Ｄ通信用ＤＣＩと、セルラ通信用ＲＡ結果を通知するセルラ通信用ＤＣＩがＤ２Ｄ通信用ＤＣＩの送信サブフレームに存在するか否かを示すフラグとを一体として通信端末ＵＥ１へ送信する。
【０１３７】
これに対し、通信端末ＵＥ１は、通信端末ＵＥ１へ通知されたＤ２Ｄ通信用ＤＣＩを検出する。そして、通信端末ＵＥ１は、Ｄ２Ｄ通信用ＤＣＩと一体となっているフラグに基づいて、セルラ通信用ＤＣＩに対する検出を、Ｄ２Ｄ通信用ＤＣＩの送信サブフレームにおいて行うか否かを判断する。
【０１３８】
また、基地局３０は、ＲＡ結果を、基地局３０と通信可能な一方で、通信端末ＵＥ２とＤ２Ｄ通信が可能な通信端末ＵＥ１へ通知する。基地局３０は、ＤＣＩ形成部３１と、無線送信部１０８とを有する。ＤＣＩ形成部３１は、Ｄ２Ｄ通信用ＲＡ結果を通知するＤ２Ｄ通信用ＤＣＩと、セルラ通信用ＲＡ結果を通知するセルラ通信用ＤＣＩがＤ２Ｄ通信用ＤＣＩの送信サブフレームに存在するか否かを示すフラグとを形成する。無線送信部１０８は、Ｄ２Ｄ通信用ＤＣＩとフラグとを一体として通信端末ＵＥ１へ送信する。
【０１３９】
また、通信端末４０は、ＲＡ結果を通知する基地局３０と通信可能である一方で、基地局３０を介さずに通信端末ＵＥ２とＤ２Ｄ通信が可能である。通信端末４０は、Ｄ２Ｄ通信用ブラインド検出部４０２と、セルラ通信用ブラインド検出部４０３とを有する。Ｄ２Ｄ通信用ブラインド検出部４０２は、Ｄ２Ｄ通信用ＲＡ結果を通信端末４０へ通知するＤ２Ｄ通信用ＤＣＩを検出する。セルラ通信用ブラインド検出部４０３は、セルラ通信用ＲＡ結果を通信端末４０へ通知するセルラ通信用ＤＣＩがＤ２Ｄ通信用ＤＣＩの送信サブフレームに存在するか否かを示すフラグに基づいて、セルラ通信用ＤＣＩに対する検出を、Ｄ２Ｄ通信用ＤＣＩの送信サブフレームにおいて行うか否かを判断する。また、このフラグは、Ｄ２Ｄ通信用ＤＣＩと一体となっている。
【０１４０】
こうすることで、通信端末ＵＥ１（通信端末４０）は、Ｄ２Ｄ通信用ＤＣＩと一体となっているフラグに基づいて、各サブフレームにセルラ通信用ＤＣＩが存在するか否かを、セルラ通信用ＤＣＩに対するブラインド検出前に判断することができる。よって、通信端末ＵＥ１は、セルラ通信用ＤＣＩが存在しないと判断したサブフレームでは、セルラ通信用ＤＣＩに対するブラインド検出を行わずに回避することができる。これにより、セルラ通信用ＤＣＩが存在しないサブフレームにおけるブラインド検出の最大回数を、セルラ通信用ＤＣＩが存在するサブフレームにおけるブラインド検出の最大回数よりも減少させることができる。例えば、Ｄ２Ｄ通信用の新たなフォーマットのＤＣＩのための新たなサーチスペースを用意した場合に、１サブフレームにおけるすべてのサーチスペースを対象としてブラインド検出を行うと、１サブフレームにおけるブラインド検出の最大回数は上記のように６０回となる。これに対し、セルラ通信用ＤＣＩが存在しないサブフレームでは、セルラ通信用ＤＣＩに対する４４回の無駄なブラインド検出を回避できるため、ブラインド検出の最大回数は、Ｄ２Ｄ通信用ＤＣＩに対する上記の１６回となる。よって、実施例２によれば、Ｄ２Ｄ通信を行うにあたりＤ２Ｄ通信用の新たなフォーマットのＤＣＩのための新たなサーチスペースを用意した場合でも、Ｄ２Ｄ通信を行う際の通信端末ＵＥ１の消費電力の増大を抑えることができる。
【０１４１】
［実施例３］
＜基地局及び通信端末の構成＞
実施例３の基地局及び通信端末の構成は、実施例２と同一であるため、以下、図９，１１を援用して基地局及び通信端末の処理について説明する。
【０１４２】
＜基地局の処理＞
上記のように、図９において、マッピング部３０５は、Ｄ２Ｄ通信用ＤＣＩ形成部３０１から通知されたサブフレーム＃ｘにおいて、上記の図２に示すサーチスペースＳＳ６〜ＳＳ９のうちの何れか１つのサーチスペースのサーチ単位にＤ２Ｄ通信用のＰＤＣＣＨ信号をマッピングして無線送信部１０８へ出力する。また、マッピング３０５は、セルラ通信用ＤＣＩ形成部３０２から通知されたサブフレーム＃ｙにおいて、上記の図２に示すサーチスペースＳＳ０〜ＳＳ５のうちの何れか１つのサーチスペースのサーチ単位にセルラ通信用のＰＤＣＣＨ信号をマッピングして無線送信部１０８へ出力する。
【０１４３】
ここで、上記のように、ＰＤＣＣＨ信号生成部１０２，１０５は、通信端末ＵＥ１への下りリンクの伝搬路品質が低下するほど、より低い符号化率でＤＣＩを符号化する。この際に、ＰＤＣＣＨ信号生成部１０２，１０５は互いに、下りリンクの伝搬路品質を表す同一のパラメータ値に従ってＤＣＩを符号化する。よって、符号化後のＤ２Ｄ通信用ＤＣＩのサイズと、符号化後のセルラ通信用ＤＣＩのサイズとは、同一になる。
【０１４４】
そこで、マッピング部３０５は、サブフレーム＃ｘとサブフレーム＃ｙとが同一の場合、つまり、Ｄ２Ｄ通信用ＤＣＩをマッピングするサブフレームにセルラ通信用ＤＣＩもマッピングする場合、双方のＤＣＩを同一のアグリゲーションレベルの異なるサーチスペースにマッピングする。例えば、マッピング部３０５は、上記の図２において、Ｄ２Ｄ通信用ＤＣＩをＳＳ９にマッピングしたときは、セルラ通信用ＤＣＩをＳＳ３にマッピングする。ＳＳ９及びＳＳ３のアグリゲーションレベルは共に“８”である。
【０１４５】
＜通信端末の処理＞
図１１において、通信端末４０は、実施例２における処理に加えて、さらに以下の処理を行う。
【０１４６】
すなわち、Ｄ２Ｄ通信用ブラインド検出部４０２は、検出したＤ２Ｄ通信用ＤＣＩがマッピングされていたサーチスペースのアグリゲーションレベル（以下では「Ｄ２Ｄ通信アグリゲーションレベル」と呼ぶことがある）を以下の式（１）〜（３）を用いて判断する。
各サーチ単位の開始位置＝Ｌ｛Ｙｋ・ｍｏｄ（ＮＣＣＥ,ｋ／Ｌ）｝＋ｉ  …（１）
Ｙｋ＝（Ａ・Ｙｋ−１）  ｍｏｄ  Ｄ  …（２）
Ｙ−１＝ｎＲＮＴＩ  …（３）
【０１４７】
ただし、“各サーチ単位の開始位置”はＣＣＥのインデックス番号で示され、“Ｌ”はアグリゲーションレベル１，２，４，８の何れかである。“ＮＣＣＥ,ｋ”は、サブフレームｋに含まれるＤＣＩ用のＣＣＥの総数であり、“ｋ”はサブフレーム番号０〜９の何れかであり、“ｉ”はアグリゲーションレベルＬのサーチスペースに含まれるサーチ単位の数である。“Ａ”及び“Ｄ”は互いに異なる整数値である。“ｎＲＮＴＩ”は通信端末のＩＤ番号であり、Ｙｋの初期値Ｙ−１として使用される。ＬＴＥにおいては、通信端末のＩＤ番号は、通信端末が基地局に接続してアクティブ状態（RRC  Connected  mode）になる過程において、基地局から通信端末に対して割り当てられる。通信端末がアイドル状態になった場合、または、通信端末が他の基地局へ接続した場合、この割り当てられたＩＤ番号は無効となる。なお、ｍｏｄの計算結果において、小数点以下は切り捨てられる。
【０１４８】
ここで、Ｄ２Ｄ通信用ブラインド検出部４０２は、ブラインド検出によって検出したＤ２Ｄ通信用ＤＣＩがマッピングされていたサーチ単位の開始位置を認識できる。よって、Ｄ２Ｄ通信用ブラインド検出部４０２は、その認識した開始位置から上記（１）〜（３）に従って、Ｄ２Ｄ通信アグリゲーションレベルを判断することができる。そこで、Ｄ２Ｄ通信用ブラインド検出部４０２は、Ｄ２Ｄ通信アグリゲーションレベルをセルラ通信用ブラインド検出部４０３へ通知する。
【０１４９】
セルラ通信用ブラインド検出部４０３は、上記の図２におけるＳＳ０〜ＳＳ５のうち、Ｄ２Ｄ通信用ブラインド検出部４０２から通知されたＤ２Ｄ通信アグリゲーションレベルと同一のアグリゲーションレベルを有するサーチスペースに対してのみブラインド検出を行う。よって例えば、基地局３０がＤ２Ｄ通信用ＤＣＩをＳＳ９にマッピングし、セルラ通信用ＤＣＩをＳＳ３にマッピングしたときは、セルラ通信用ブラインド検出部４０３は、セルラ通信用のサーチスペースにおいてＳＳ３及びＳＳ５に対してのみブラインド検出を行う。つまり、セルラ通信用ブラインド検出部４０３は、セルラ通信用のサーチスペースにおいてＳＳ０〜ＳＳ２，ＳＳ４に対してのブラインド検出を行わない。
【０１５０】
以上のように、実施例３では、基地局ＢＳ１（基地局３０）は、Ｄ２Ｄ通信用ＤＣＩの送信サブフレームにセルラ通信用ＤＣＩをマッピングする場合は、各ＤＣＩを以下のようにマッピングする。すなわち、基地局ＢＳ１は、Ｄ２Ｄ通信用ＤＣＩの送信サブフレームに含まれる複数のサーチスペースのうち、Ｄ２Ｄ通信用ＤＣＩをマッピングした第一のサーチスペースのアグリゲーションレベルと同一のアグリゲーションレベルを有する第二のサーチスペースにセルラ通信用ＤＣＩマッピングする。
【０１５１】
こうすることで、通信端末ＵＥ１（通信端末４０）においてセルラ通信用ＤＣＩのブラインド検出の対象となるサーチスペースの数を減少させることができる。よって、実施例３によれば、実施例２に比べ、Ｄ２Ｄ通信を行う際の通信端末ＵＥ１の消費電力の増大をさらに抑えることができる。
【０１５２】
［他の実施例］
［１］上記実施例の基地局１０，３０は、次のようなハードウェア構成により実現することができる。図１５は、基地局のハードウェア構成例を示す図である。図１５に示すように、基地局１０，３０は、ハードウェアの構成要素として、プロセッサ１０ａと、メモリ１０ｂと、無線通信モジュール１０ｃと、ネットワークインタフェースモジュール１０ｄとを有する。プロセッサ１０ａの一例として、ＣＰＵ（Central  Processing  Unit），ＤＳＰ（Digital  Signal  Processor），ＦＰＧＡ（Field  Programmable  Gate  Array）等が挙げられる。また、基地局１０，３０は、プロセッサ１０ａと周辺回路とを含むＬＳＩ（Large  Scale  Integrated  circuit）を有してもよい。メモリ１０ｂの一例として、ＳＤＲＡＭ等のＲＡＭ，ＲＯＭ，フラッシュメモリ等が挙げられる。無線送信部１０８と、送信アンテナ１０９と、受信アンテナ１１１と、無線受信部１１２とは、無線通信モジュール１０ｃにより実現される。ＤＣＩ形成部１１，３１と、ＰＤＣＣＨ信号生成部１０２，１０５と、マッピング部１０７，３０５と、ユーザデータ取得部１１３とは、プロセッサ１０ａにより実現される。
【０１５３】
［２］上記実施例の通信端末２０，４０は、次のようなハードウェア構成により実現することができる。図１６は、通信端末のハードウェア構成例を示す図である。図１６に示すように、通信端末２０，４０は、ハードウェアの構成要素として、プロセッサ２０ａと、メモリ２０ｂと、無線通信モジュール２０ｃとを有する。プロセッサ２０ａの一例として、ＣＰＵ，ＤＳＰ，ＦＰＧＡ等が挙げられる。また、通信端末２０，４０は、プロセッサ２０ａと周辺回路とを含むＬＳＩを有してもよい。メモリ２０ｂの一例として、ＳＤＲＡＭ等のＲＡＭ，ＲＯＭ，フラッシュメモリ等が挙げられる。受信アンテナ２０１と、セパレータ２０２と、無線受信部２０３，２０６と、無線送信部２２５と、送信アンテナ２２６とは、無線通信モジュール２０ｃにより実現される。復調部２０４，２０７と、復号部２０５，２０８と、ブラインド検出部２０９，４５と、通信制御部２１，４６と、Ｄ２Ｄ通信部２２と、セルラ通信部２３とは、プロセッサ２０ａにより実現される。バッファ４０１は、メモリ２０ｂにより実現される。
【０１５４】
［３］通信端末は、無線端末、Mobile  Station、または、ユーザ端末（ＵＥ：User  Equipment）と呼ばれることもある。基地局は、無線基地局、Base  Station、eNodeB、または、NodeBと呼ばれることもある。
【符号の説明】
【０１５５】
１  通信システム
ＢＳ１，１０，３０  基地局
ＵＥ１，ＵＥ２，２０，４０  通信端末
１１，３１  ＤＣＩ形成部
１０１，３０１  Ｄ２Ｄ通信用ＤＣＩ形成部
１０４，３０２  セルラ通信用ＤＣＩ形成部
１０７，３０５  マッピング部
２０９，４５  ブラインド検出部
２１１  種別判断部
４０２  Ｄ２Ｄ通信用ブラインド検出部
４０３  セルラ通信用ブラインド検出部
２１２，４１１  Ｄ２Ｄ通信制御部
２１３，４１２  セルラ通信制御部
【図１】
2015198490.tif 000003
【図２】
2015198490.tif 000004
【図３】
2015198490.tif 000005
【図４】
2015198490.tif 000006
【図５】
2015198490.tif 000007
【図６】
2015198490.tif 000008
【図７】
2015198490.tif 000009
【図８】
2015198490.tif 000010
【図９】
2015198490.tif 000011
【図１０】
2015198490.tif 000012
【図１１】
2015198490.tif 000013
【図１２】
2015198490.tif 000014
【図１３】
2015198490.tif 000015
【図１４】
2015198490.tif 000016
【図１５】
2015198490.tif 000017
【図１６】
2015198490.tif 000018
【国際調査報告】
2015198490.tif 000019
2015198490.tif 000020